(57)【要約】      （修正有）【課題】収納物を出し入れしやすいように収納スペースを回転自在に移動させることができる収納ケースを提供する。【解決手段】収納ケース１ａは、上方が開口された中空の筒状に収納スペースを形成する中ケース回転部３０および中ケース回転部３０を回転可能に支持する中ケース底部２０ａを有する中ケース２ａと、上下段に積載させるための天板１１ａおよび外ケース底板１２ａと引き出し方向側が開口されるように周囲を覆う外ケース側壁１３ａとを有して中ケース２ａを引き出し自在に収容する外ケース１０ａとを備えている。【選択図】図１
0003188768.tif 000002
【実用新案登録請求の範囲】
【請求項１】
複数段による構成として上下段に積載可能で、かつ、引き出し自在に被収納物を収納する収納ケースであって、
上方が開口された中空の筒状に形成されて前記被収納物を収納する収納スペースを形成する中ケース回転部と、板状かつ当該板状の垂直方向に棒状の軸が形成されて前記中ケース回転部の下方に配設されて前記軸を回転中心として前記中ケース回転部を回転可能に支持する中ケース底部とを有する中ケースと、
前記上下段に積載させるための天板および底板と、前記天板および底板の間に引き出し方向側が開口されるように周囲を覆う側壁とを有し、前記中ケースを引き出し自在に収容する外ケースとを備え、
前記中ケース回転部の前記収納スペースの少なくとも一部が前記側壁の開口された前記引き出し方向側から可視できる位置まで前記外ケースに収容された前記中ケースが引き出された場合に、前記中ケース底部は前記収納スペースが循環するように前記中ケース回転部を回転可能に支持する
ことを特徴とする収納ケース。
【請求項２】
前記軸を回転中心とする前記中ケース回転部の回転を円滑にする緩衝緩和手段が、前記中ケース回転部または前記中ケース底部のいずれかの対向面の少なくとも一方に設けられた
ことを特徴とする請求項１に記載の収納ケース。
【請求項３】
前記外ケースから前記中ケースを引き出しおよび前記外ケースへ前記中ケースを収容するためのスライド動作を摺動可能に補助するガイド手段が、前記外ケースに設けられた
ことを特徴とする請求項１又は請求項２に記載の収納ケース。
【請求項４】
前記上下段に積載可能とする突設による係止手段が、前記天板および底板に設けられた
ことを特徴とする請求項１乃至請求項３のいずれか一項に記載の収納ケース。
【請求項５】
前記外ケースは、前記複数段の各々の前記中ケースを収容可能な一体構造に設けられた
ことを特徴とする請求項１乃至請求項３のいずれか一項に記載の収納ケース。
【考案の詳細な説明】
【技術分野】
【０００１】
本考案は、収納スペースを回転自在に移動させることができる収納ケースに関する。
【背景技術】
【０００２】
衣類、日用品雑貨、装飾品など（衣類等）に多段の引き出し容器を備えた多段収納ケースが使用されており、その基本的な構成は、例えば樹脂製の容器を組み合わせたものと、樹脂製枠部材に樹脂製容器を組み合わせたものなどである。
【０００３】
なお、任意段数の容器体を引き出し状に納める多段収納ケースにおいて、天板部の上面周囲部分を突条を設け、突条の上面適宜位置に連結用凹部を形成すると共に、凹部内の対向する壁面に壁面から独立させて弾性力を有せしめ、係止突部を付設した挟持部を設け、ケース枠本体の最底面に、連結用凹部に対応した位置に、連結用凹部に嵌合する連結用突部を突設すると共に、係止突部下方に押し込まれる係止部を付設してなることが知られている（例えば、特許文献１を参照）。
【０００４】
また、引き出し容器において、引き出しと、引き出しを複数方から挿脱可能に開放したスペース及び座部を有する枠体から成り、座部に案内突条を四方に形成し、さらに引き出しの底の後部と左右部にリブを有し、後部のリブが案内突条の内側に位置しながら左右部のリブが案内突条に従い引き出しの前後方向のみに摺動するようにしたものが知られている（例えば、特許文献２を参照）。
【先行技術文献】
【特許文献】
【０００５】
【特許文献１】実用新案登録第３０６６４１０号公報
【特許文献２】実公平６−１４５８１号公報
【考案の概要】
【考案が解決しようとする課題】
【０００６】
（１）特許文献１のような周知の多段収納ケースでは、例えば収納ケースの奥行きが長い場合、収納ケースの奥に収納された衣類等を取り出すことに手間がかかる。例えば、収納ケースの引き出し部分を手前に全部引き出して、奥に収納されている衣類等を取り出す必要がある。また、収納ケースの手前側の衣類をいったん収納ケースから取り出す等、奥に収納されている衣類等を取り出す作業に手間がかかる。さらに、収納ケースの奥にある衣類等を取り出した場合には、奥に空いた収納スペースに他の衣類等を移動させるなどして、そのたびに収納作業に手間と時間がかかっていた。そのため、取り出しの際の煩雑さがあった。
【０００７】
（２）また、利用者にとって、手前から中ほど、さらに、奥に収納されるほど、どの衣類等が収納されているかを確認するのに困難であった。そのため、身支度を急いでいる場合など、収納ケースの手前に収納されている衣類等にしてしまうなどの収納事情によって、収納ケースからの収納物の選択に利用者は不便を感じていた。また、目的の衣類等を収納ケースの手前に引き出すために、整理された衣類等を無理に引き出して、折りたたみ等されて収納された衣類等を乱すことがあった。
【０００８】
（３）一方、特許文献２のような周知の技術では、引き出しと、引き出しを複数方から挿脱可能に開放したスペース及び座部を有する枠体から成る引き出し容器であるため、四方から引き出し可能なスペースが確保されることが前提となる。そのため、引き出し容器を据え置いたスペースが、正面、左右の側面、背面方向のいずれかの方向に引き出しを引き出せないスペースである場合に、限られたスペースに据え置くことができなかった。また、据え置いた場合でも、当該方向に引き出す必要が生じた際に引き出し容器全体を当該方向に引き出し可能なスペースへ移動させて、収納物を収納しまたは取り出すなどの作業を行わなければならなかった。
本考案が解決しようとする課題は、収納物を出し入れしやすいように収納スペースを回転自在に移動させることができる収納ケースを提供することである。
【課題を解決するための手段】
【０００９】
上記課題を解決するために、本考案に係る収納ケースは、複数段による構成として上下段に積載可能で、かつ、引き出し自在に被収納物を収納する収納ケースである。当該収納ケースは、上方が開口された中空の筒状に形成されて前記被収納物を収納する収納スペースを形成する中ケース回転部と、板状かつ当該板状の垂直方向に棒状の軸が形成されて前記中ケース回転部の下方に配設されて前記軸を回転中心として前記中ケース回転部を回転可能に支持する中ケース底部とを有する中ケースと、前記上下段に積載させるための天板および底板と、前記天板および底板の間に引き出し方向側が開口されるように周囲を覆う側壁とを有し、前記中ケースを引き出し自在に収容する外ケースとを備え、前記中ケース回転部の前記収納スペースの少なくとも一部が前記側壁の開口された前記引き出し方向側から可視できる位置まで前記外ケースに収容された前記中ケースが引き出された場合に、前記中ケース底部は前記収納スペースが循環するように前記中ケース回転部を回転可能に支持することを特徴とする。
【考案の効果】
【００１０】
本考案に係る収納ケースによれば、収納物を出し入れしやすいように収納スペースを回転自在に移動させることができる。
【００１１】
（１）これにより、１段の収納ケースごとに収納スペースを循環して回転自在に移動できるため、引き出し手前に収納された収納物を容易に移動させることができる。また、空いている収納スペースを容易に引き出し手前に移動させることができる。これにより、利用者の収納作業における利便性が向上する。
【００１２】
（２）また、上下方向に複数段を積載可能な収納ケースであるため、設置場所の高さ方向の設置スペースに応じて、積載段数を選択することができる。これにより、押入れ、クローゼット、台所収納庫等の高さ方向に制限のある設置スペースを有効に、かつ、利便性を損なわずに活用することができる。
【図面の簡単な説明】
【００１３】
【図１】本考案に係る収納ケースの第１の実施形態の構成を示す斜視図であり、図１（Ａ）は中ケースを収容した状態の斜視図、図１（Ｂ）は中ケースを引き出した状態の斜視図である。
【図２】図２（Ａ）及び（Ｂ）は、図１に示す収納ケースの平面図及び正面図である。
【図３】図３（Ａ）及び（Ｂ）は、図２のＩ−Ｉ線矢視縦断面図及びＩＩ−ＩＩ線矢視縦断面図である。
【図４】図４（Ａ）及び（Ｂ）は、図１に示す外ケースの斜視図及び側面図である。
【図５】図５（Ａ）及び（Ｂ）は、図１に示す外ケースの正面図及びＩＩＩ−ＩＩＩ線矢視横断面図である。
【図６】図６（Ａ）及び（Ｂ）は、図４に示す支柱の平面図及び側面図である。
【図７】図７（Ａ）及び（Ｂ）は、図４に示す支柱の底面図及びＸ−Ｘ線矢視縦断面図である。
【図８】図３に示す中ケース底部の斜視図である。
【図９】図９（Ａ）及び（Ｂ）は、図８に示す中ケース底部の平面図及びＩＶ−ＩＶ線矢視縦断面図である。
【図１０】図３に示す中ケース回転部の斜視図である。
【図１１】図１１（Ａ）及び（Ｂ）は、図１０に示す中ケース回転部の平面図及びＶ−Ｖ線矢視縦断面図である。
【図１２】図１１（Ａ）に示す回転軸の拡大平面図である。
【図１３】図１３（Ａ）及び（Ｂ）は、図１２に示す回転軸のＡ−Ａ線矢視縦断面図及びＢ−Ｂ線矢視縦断面図である。
【図１４】図１４（Ａ）及び（Ｂ）は、図１１に示す仕切係止部の拡大平面図及び拡大側面図である。
【図１５】図１５（Ａ）及び（Ｂ）は、図３に示す緩衝緩和部品の拡大斜視図及び他の緩衝緩和部品の拡大斜視図である。
【図１６】本考案に係る収納ケースの第２の実施形態の構成を示す斜視図である。
【図１７】図１７（Ａ）、（Ｂ）及び（Ｃ）は、図１６に示す取手の平面図、正面図及び側面図である。
【図１８】本考案に係る収納ケースの第３の実施形態の構成を示す斜視図であり、図１８（Ａ）は中ケースを収容した状態の斜視図、図１８（Ｂ）は中ケースを引き出した状態の斜視図である。
【図１９】図１９（Ａ）及び（Ｂ）は、図１８に示す収納ケースの平面図及び正面図である。
【図２０】図２０（Ａ）及び（Ｂ）は、図１９のＶＩ−ＶＩ線矢視縦断面図及びＶＩＩ−ＶＩＩ線矢視縦断面図である。
【図２１】図２１（Ａ）及び（Ｂ）は、図１８に示す外ケースの斜視図及び側面図である。
【図２２】図２２（Ａ）及び（Ｂ）は、図１８に示す外ケースの正面図及びＶＩＩＩ−ＶＩＩＩ線矢視横断面図である。
【図２３】図１８に示す外ケースの底面図である。
【図２４】図２０に示す中ケース底部の斜視図である。
【図２５】図２５（Ａ）及び（Ｂ）は、図２４に示す中ケース底部の平面図及びＩＸ−ＩＸ線矢視縦断面図である。
【図２６】本考案に係る収納ケースの第４の実施形態の構成を示す斜視図である。
【考案を実施するための形態】
【００１４】
以下、本考案に係る実施形態の収納ケースについて、図面を参照して具体的に説明する。ここで、互いに同一または類似の部分には共通の符号を付して、重複説明は省略する。ここで説明する下記の実施形態はいずれも、衣類等（被収納物）を収納する収納ケースの一例をとりあげて説明する。
【００１５】
［第１の実施形態］
以下、本考案に係る収納ケースの第１の実施形態の構成について、図１乃至図１５を用いて説明する。
【００１６】
図１は、本考案に係る収納ケース１ａの第１の実施形態の構成を示す斜視図であり、特に、図１（Ａ）は中ケース２ａを収容した状態の斜視図、図１（Ｂ）は中ケース２ａを引き出した状態の斜視図である。また、図２（Ａ）は図１に示す収納ケース１ａの平面図、図２（Ｂ）は同じく正面図である。さらに、図３（Ａ）は図２のＩ−Ｉ線矢視縦断面図、図３（Ｂ）は図２のＩＩ−ＩＩ線矢視縦断面図である。
【００１７】
なお、図２（Ｂ）に示す収納ケース１ａの正面図は、図２（Ａ）に示すＦ方向（前方方向とする）からの視線に基づくものである。また、収納ケース１ａの平面図は、収納ケース１ａを上面から垂直方向に見下ろした図とし、他の図面についても同様とする。
【００１８】
第１の実施形態の収納ケース１ａは、１ユニット（１段）単位に衣類等を収納することができる、上下段に複数段を積載可能な収納棚である。収納ケース１ａは、１ユニットごとに、引き出し自在に被収納物を収納する。収納ケース１ａは、図１（Ａ）乃至図３（Ｂ）に示すように、中ケース２ａと、外ケース１０ａとを備えている。
【００１９】
収納ケース１ａは、図１（Ａ）及び（Ｂ）に示すように、外ケース１０ａから中ケース２ａを引き出し自在に収容する構造である。収納ケース１ａは、中ケース２ａを外ケース１０ａから前方（Ｕ方向の引き出し側）に引き出し可能とし、中ケース２ａを前方から外ケース１０ａの後方（Ｕ方向の押し入れ側）に収容可能とする。
【００２０】
また、中ケース２ａでは、回転軸３１を回転中心として、図１（Ｂ）に示すように、中ケース２ａに収納した衣類等を回転自在（回転方向Ｒ）に移動させることができる。すなわち、中ケース２ａに形成される収納スペースを回転自在に移動させることができる。さらに、中ケース２ａは、利用者の必要に応じて仕切板４を着脱可能な構造とされる。
【００２１】
はじめに、外ケース１０ａの構成について説明する。外ケース１０ａは、図１（Ａ）及び（Ｂ）に示すように、天板１１ａと、外ケース底板１２ａと、外ケース側壁１３ａと、支柱１４とを有する。
【００２２】
天板１１ａおよび外ケース底板１２ａは、収納ケース１ａを上下段に積載させるための構造を有する。
【００２３】
天板１１ａは、図２（Ａ）乃至図３（Ｂ）に示すように、外ケース１０ａに中ケース２ａを収容した状態で上面を覆うことができる形状からなる板状に形成される。例えば、中ケース２ａの上面から見た開口が円形である場合には、その開口の円形を十分に覆うことが可能な円形、三角形、四角形などに形成された板状である。なお、図２（Ａ）等に示す中央線Ｃは、上面側からみたＵ方向に沿った板状の中央を示す。
【００２４】
外ケース底板１２ａは、天板１１ａと外形を同形状に形成され、外ケース１０ａの底面に設けられる。また、外ケース底板１２ａの上面には、中ケース２ａが引き出し自在となるようにガイドレール１２１が設けられる。
【００２５】
外ケース側壁１３ａは、天板１１ａおよび外ケース底板１２ａの間に引き出し方向側が開口されるように周囲を覆う。換言すれば、外ケース側壁１３ａは、天板１１ａ及び外ケース底板１２ａの間に中ケース２ａを引き出し可能なように背面および側面の一部を囲むように設けられる。
【００２６】
支柱１４は、棒状に形成され、天板１１ａ、外ケース側壁１３ａおよび外ケース底板１２ａの複数個所に接続されて設けられる。支柱１４は、収納ケース１ａに作用する荷重による応力を分散して支える。また、支柱１４には、収納ケース１ａを上下に多段積載可能なように係止構造が設けられる。また、支柱１４の他にも、天板１１ａの上面に設けられる凸係止部１１１ａと、外ケース底板１２ａの底面に凹係止部１２２ａとが設けられる。なお、外ケース１０ａの詳細な構造については、後述する。
【００２７】
次に、中ケース２ａの構成について説明する。中ケース２ａは、図１（Ａ）及び（Ｂ）に示すように、上方が開口された中空の筒状に形成されて被収納物を収納する収納スペースを形成する中ケース回転部３０と、中ケース回転部３０の下方に配設されて中ケース回転部３０を回転可能に支持する中ケース底部２０ａとを有する。
【００２８】
さらに、中ケース回転部３０は、図１（Ａ）乃至図３（Ｂ）に示すように、板状に形成された中ケース回転底板３４と、中ケース回転底板３４を筒の底として中空の筒状に側壁が形成された中ケース側壁３２と、中ケース回転底板３４の上面に対して垂直方向かつその面の中心位置に設けられた回転軸３１とから構成される。なお、中ケース回転部３０の詳細な構造については、後述する。
【００２９】
また、中ケース底部２０ａは、図３（Ａ）及び（Ｂ）に示すように、中ケース底板２２ａ及び軸受２１から構成される。
【００３０】
中ケース底部２０ａは、板状（中ケース底板２２ａ）かつ当該板状の垂直方向に棒状の軸受２１が形成される。中ケース底部２０ａは、中ケース回転部３０の下方に配設されて、軸受２１を回転中心（軸線Ｊに示す）として中ケース回転部３０を回転可能に支持する。例えば、外ケース１０ａに収容された中ケース２ａにおいて、図１（Ｂ）に示すように、中ケース回転部３０の収納スペースの少なくとも一部が外ケース側壁１３ａの開口された引き出し方向側から可視できる位置まで引き出された場合に、中ケース底部２０ａは収納スペースが循環するように中ケース回転部３０を回転可能に支持している。
【００３１】
中ケース底板２２ａは、中ケース回転底板３４より広い面を有する板状に形成される。中ケース底板２２ａにおいて、中ケース回転底板３４が回転する位置に対向する面の外径は、少なくとも中ケース回転底板３４の外径より大きく形成される。なお、第１の実施形態における中ケース底板２２ａでは、円板状に形成された例を示す。また、円板状以外の実施形態の一例を、後述する第３の実施形態で示す。
【００３２】
軸受２１は、中ケース回転部３０と対向する面（中ケース底板２２ａの上面）の中心位置に、かつ、中ケース底板２２ａの面の垂直方向に棒状に形成される。なお、中ケース底部２０ａの詳細な構造については、後述する。
【００３３】
次に、図１（Ａ）乃至図３（Ｂ）に示した収納ケース１ａを、外ケース１０ａと、中ケース１０ａ（中ケース回転部３０、中ケース底部２０ａ）とにそれぞれ分離して示した図４乃至図１５を参照しながら、さらに詳細に説明する。
【００３４】
はじめに、外ケース１０ａの詳細な構造について説明する。図４（Ａ）は、図１に示す外ケース１０ａの斜視図であり、図４（Ｂ）は、図１に示す外ケース１０ａの側面図である。また、図５（Ａ）は、図１に示す外ケース１０ａの正面図であり、図５（Ｂ）は、図５（Ａ）のＩＩＩ−ＩＩＩ線矢視横断面図である。
【００３５】
外ケース底板１２ａの上面には、２本のガイドレール１２１が間隔をおいて引き出し方向（図１（Ｂ）に示すＵ方向）に沿って互いに平行となるように設けられる。詳しくは、図４（Ｂ）及び図５（Ｂ）に示すように、ガイドレール１２１は、外ケース側壁１３ａが設けられていない開口側寄りの位置に、中ケース２ａの引き出し方向を長手方向として外ケース底板１２ａの上面に設けられる。
【００３６】
複数の支柱１４は、図４（Ａ）及び図５（Ａ）に示すように、外ケース１０ａに作用する収納ケース１ａの荷重による応力を分散させるように間隔をおいて設けられる。また、凸係止部１１１ａ及び凹係止部１２２ａについても、複数の支柱１４と共に荷重による応力を分散させる位置に基づいて設けられる。例えば、図４（Ａ）及び（Ｂ）に示すように、凸係止部１１１ａは天板１１ａの上面前方付近に少なくとも設けられ、凹係止部１２２ａは凸係止部１１１ａに対応する位置の外ケース底板１２ａの底面前方付近に少なくとも設けられる。
【００３７】
なお、凸係止部１１１ａは、上段に位置する収納ケース１ａの凹係止部１２２ａに嵌合可能とされる。凹係止部１２２ａは、下段に位置する収納ケース１ａの凸係止部１１１ａに嵌合可能とされる。また、支柱１４は、後述するように、凸係止部１４１（図６に示す）及び凹係止部１４２（図７に示す）において、他段（上段または下段）に位置する収納ケース１ａの支柱１４と嵌合可能とされる。
【００３８】
図６（Ａ）は、図４に示す支柱１４の平面図であり、図６（Ｂ）は、図４に示す支柱１４の側面図である。また、図７（Ａ）は、図４に示す支柱１４の底面図であり、図７（Ｂ）は、図７（Ａ）のＸ−Ｘ線矢視縦断面図である。
【００３９】
支柱１４には、図６（Ａ）及び（Ｂ）に示すように、凸型に突設した凸係止部１４１が長手方向の一端（上面側）に形成される。また、支柱１４には、図７（Ａ）及び（Ｂ）に示すように、凹型に溝が設けられた凹係止部１４２が長手方向の他端（底面側）に形成される。
【００４０】
凸係止部１４１は、上段に位置する収納ケース１ａの凹係止部１４２に嵌合可能とされる。凹係止部１４２は、下段に位置する収納ケース１ａの凸係止部１４１に嵌合可能とされる。また、凹係止部１４２は、凸係止部１４１に嵌合するだけでなく、キャスターなどの付属部品のネジ穴や取り付け穴として兼用または一部を共用する構造としてもよい。なお、前述した凸係止部１１１ａは、凸係止部１４１と類似な構造であり、前述した凹係止部１２２ａは、凹係止部１４２と類似な構造である。
【００４１】
本実施形態の収納ケース１ａでは、外ケース１０ａにおける外ケース側壁１３ａと支柱１４とを分離した形状で示したが、外ケース側壁１３ａや支柱１４などが一体構造とされてもよく、また、外ケース側壁全体で支柱構造を持たせてもよい。このような場合には、多段積載する場合の係止構造として、例えば天板１１ａの上面に凸係止部１１１ａと、外ケース底板１２ａの底面に凹係止部１２２ａとをそれぞれ複数の箇所に設けてもよい。
【００４２】
次に、中ケース２ａの詳細な構造について説明する。図８は、図３に示す中ケース底部２０ａの斜視図である。また、図９（Ａ）は、図８に示す中ケース底部２０ａの平面図であり、図９（Ｂ）は、図９（Ａ）のＩＶ−ＩＶ線矢視縦断面図である。
【００４３】
中ケース底部２０ａの軸受２１は、中ケース回転部３０を回転可能となるように支持する。具体的には、軸受２１は、図３（Ａ）及び（Ｂ）に示すように、中ケース回転部３０に設けられた回転軸３１の回転軸中空部１３２に緩挿される。このために、回転軸中空部１３２の内径は、軸受２１の軸外径よりも大きく形成されている。
【００４４】
これにより、中ケース回転部３０は、回転軸３１に緩挿された軸受２１により回転可能となるように支持されるため、中ケース側壁３２などを介して回転力が加えられると、回転軸３１を回転中心として収納スペースが循環するように回転（周回）する。
【００４５】
中ケース底板２２ａは、図９（Ａ）に示すように、中ケース回転底板３４より広い面を有する円板状に形成される。具体的には、中ケース底板２２ａの円板状の外径は、中ケース回転底板３４の円板状の外径より大きく形成される。
【００４６】
軸受２１は、中ケース回転部３０と対向する面（中ケース底板２２ａの上面）の中心位置（軸線Ｊが通過する位置）に、かつ、中ケース底板２２ａの面の垂直方向に回転軸中空部１３２の軸方向（軸線Ｊの方向）の溝の深さよりも短い長さで形成される。
【００４７】
ボール受穴２３は、中ケース底板２２ａの上面側に、軸受２１の軸を中心とした円周上に複数設けられる。例えば、ボール受穴２３は、図８に示すように、中ケース底板２２ａの外径に比べて十分小さい直径である円の周（図９（Ａ）に示す内側の一点鎖線円周Ｎ）上に８箇所設けられ、当該小さい直径である円よりも大きくかつ中ケース底板２２ａの外径よりも小さい直径である円の周（図９（Ａ）に示す外側の一点鎖線円周Ｍ）上に８箇所設けられる。
【００４８】
ボール受穴２３は、中ケース底板２２ａの前述した位置に半球状（おわん状）の溝に形成される。例えば、ボール受穴２３の縦断面は、図９（Ｂ）に示すように、半球状（おわん状）の断面である。また、ボール受穴２３の溝の深さは、後述するボール５ａの半径よりも小さく形成される。
【００４９】
以上のようなボール受穴２３の構造により、利用者は、軸受２１により支持された中ケース回転部３０を、複数のボール５ａを介してその回転（図１（Ｂ）のＲ方向回転）を円滑に動作させることができる。
【００５０】
ガイドレール溝部２４は、ガイドレール１２１が一定の範囲を摺動自在となるように、中ケース底板２２ａの底面側に形成される。例えば、ガイドレール溝部２４において、図９（Ａ）に示すように、２本の四角型の溝が引き出し方向に沿って中ケース２ａの前方付近から後方付近に至る経路を長手方向として平行に形成される。また、ガイドレール溝部２４の溝の深さは、ガイドレール１２１の凸部の高さよりも浅く形成され、その溝の幅は、ガイドレール１２１の１本の凸部の幅よりもやや大きく形成される。
【００５１】
以上のようなガイドレール１２１及びガイドレール溝部２４によるガイド手段により、利用者が中ケース２ａを外ケース１０ａから容易に引き出すことができ、また、中ケース２ａを引き出した際に外ケース１０ａから不意な方向に外れないようにすることができる。さらに、引き出した中ケース１０ａを、外ケース１０ａに収容し難い状態にずれることを防止することができる。すなわち、ガイド手段が前述したようなスライド動作を摺動可能となるように補助する。
【００５２】
続いて、中ケース２ａの中ケース回転部３０の詳細な構造について説明する。図１０は、図３に示す中ケース回転部３０の斜視図である。また、図１１（Ａ）は、図１０に示す中ケース回転部３０の平面図であり、図１１（Ｂ）は、図１１（Ａ）のＶ−Ｖ線矢視縦断面図である。なお、図１１（Ａ）及び（Ｂ）では、図１０に示す仕切板４が取り外された状態での図を示す。
【００５３】
図１０に示す中ケース回転部３０は、前述したように、中ケース回転底板３４と、中ケース側壁３２と、回転軸３１とから構成される。この他にも、仕切板４を、中ケース回転部３０に着脱可能である。
【００５４】
仕切板４は、四角形状の薄い板厚である。仕切板４を取り付けるための仕切係止部３３及び嵌込み溝１３１の組は、図１１（Ａ）に示すように、中ケース回転部３０に所定の間隔をあけて複数設けられるため、利用者による中ケース２ａの収納スペースの区分に応じた仕切板４の取り付けを可能とする。
【００５５】
中ケース回転底板３４は、図３（Ａ）及び（Ｂ）に示すような外ケース１０ａ内で回転可能な範囲に基づき、図１１（Ａ）及び（Ｂ）に示すような外径を有する円板状に形成される。
【００５６】
さらに、中ケース回転底板３４の底面側に、ボール溝部３５が回転軸３１の軸（軸線Ｊ）を中心とした円形状に形成される。ボール溝部３５は、ボール受穴２３に留まるボール５ａを溝内に摺動可能なように保持する。
【００５７】
例えば、ボール溝部３５は、図１１（Ａ）及び（Ｂ）に示すように、中ケース回転底板３４の外径に比べて十分小さい直径である円の周（内側の破線円周）上に沿って形成され、さらに、当該小さい直径である円よりも大きくかつ中ケース回転底板３４の外径に比べて小さい直径である円の周（外側の破線円周）上に沿っても形成される。さらに、中ケース回転底板３４のこのような位置に、ボール溝部３５は、図１１（Ｂ）に示すように、断面を略半円状（おわん状）の溝に形成される。その溝の深さは、後述するボール５ａの半径よりも小さく形成される。
【００５８】
回転軸３１は、図１１（Ａ）及び（Ｂ）に示すように、中ケース回転底板３４の上面に対して垂直方向かつその面の中心位置に設けられる。回転軸３１の長手方向（軸線Ｊの方向）の側面には、仕切板４の片側の一方を挟み込むための嵌込み溝１３１が複数設けられている。
【００５９】
図１２は、図１１（Ａ）に示す回転軸３１の拡大平面図である。また、図１３（Ａ）は、図１２に示す回転軸３１のＡ−Ａ線矢視縦断面図であり、図１３（Ｂ）は、同じく回転軸３１のＢ−Ｂ線矢視縦断面図である。
【００６０】
図１２に示す嵌込み溝１３１において、回転軸３１の長手方向の側面に設けられる溝の幅は、仕切板４の板厚よりも大きく設けられる。
【００６１】
回転軸中空部１３２は、図１３（Ａ）及び（Ｂ）に示すように、回転軸３１の中空円筒状に形成された部分である。さらに、その中空円筒状は、底面側が開口し上面側が覆われている筒状の構造である。回転軸中空部１３２の内径は、軸受２１の軸外径よりも大きくされる。
【００６２】
回転軸３１は、前述したような回転軸中空部１３２の構造、すなわち、底面側が開口し上面側が覆われている筒状の構造により、ゴミ・塵などが回転軸３１の中空円筒状の空間に入り込み難い。
【００６３】
図１４（Ａ）は、図１１（Ａ）及び（Ｂ）に示す仕切係止部３３の拡大平面図であり、図１４（Ｂ）は、同じく仕切係止部３３の拡大側面図である。
【００６４】
中ケース側壁３２は、中ケース回転底板３４を円筒の底として、中ケース回転底板３４の外周を囲むように円筒状に側壁が形成される。
【００６５】
さらに、中ケース側壁３２には、仕切板４の片側の他方を挟み込むための仕切係止部３３が複数設けられている。１つの仕切係止部３３は、２つの突設が中ケース側壁３２の内周面側に回転軸３１の長手方向（嵌込み溝１３１）と平行に形成される。その平行に延びる長さは、図１４（Ｂ）に示す中ケース側壁３２の高さと同じでなくてもよく、少なくとも仕切板４の片側の他方を挟持して保持することができる程度であればよい。仕切係止部３３の２つの突設の空隙間隔は、仕切板４の板厚よりもやや大きくされる。
【００６６】
以上のような構造により、利用者は、仕切板４を、中ケース回転部３０の上方から仕切係止部３３及び嵌込み溝１３１の対の箇所のいずれかに取り付ける（挟み込む）ことができ、また、取り外すことができる。
【００６７】
図１５（Ａ）は、図３に示す緩衝緩和部品（ボール５ａ）の拡大斜視図である。また、図１５（Ｂ）は、他の緩衝緩和部品（ローラ５ｂ）の拡大斜視図である。
【００６８】
緩衝緩和部品として、中ケース底板２２ａ側のボール受穴２３と中ケース回転底板３４側のボール溝部３５との間に、図１５（Ａ）に示すボール５ａが介在するように配設される。これにより、対向する中ケース底板２２ａの面と中ケース回転底板３４の面との間の接触面を少なくすることができる。この結果、中ケース底板２２ａの面と中ケース回転底板３４の面との面同士による摩擦力を低減し、中ケース回転部３０を円滑に回転させることができる。
【００６９】
以上のような緩衝緩和部品やこれを配設する構造（ボール受穴２３とボール溝部３５などの構造）による緩衝緩和手段により、多くの収納物が収納された状態のように中ケース底部２０ａおよび中ケース回転部３０に相当な重量がかかった場合でも、中ケース底部２０ａと中ケース回転部３０との緩衝を緩和することができる。さらに、中ケース底部２０ａの軸受２１を回転中心として、ボール溝部３５の円周方向に沿って中ケース回転部３０を円滑に回転させることができる。
【００７０】
一方、他の緩衝緩和部品として、図１５（Ｂ）に示すローラ５ｂは、図１５（Ａ）に示すボール５ａの代わりに、例えば中ケース底板２２ａ側のボール受穴２３に対応する位置に配設される。すなわち、ローラ５ｂは、中ケース底板２２ａの上面側に軸受２１の軸を中心とした円周上に複数配設される。
【００７１】
この複数のローラ５ｂは、中ケース回転底板３４の底面の一部と接触しながらローラ５ｂ自体が回転する。これにより、中ケース底板２２ａの面と中ケース回転底板３４の面との面同士による摩擦力を低減し、中ケース回転部３０を円滑に回転させることができる。なお、ローラ５ｂを用いる場合には、中ケース回転底板３４の底面側にボール溝部３５を設けなくてもよい。
【００７２】
以上のようなローラ５ｂを、緩衝緩和部品として用いても、前述したボール５ａと同様な効果を得ることができる。
【００７３】
なお、本実施形態では、中ケース回転部３０を円筒の形状で形成された例を示したが、これ以外にも筒状の横断面が、正方形、正六角形、正八角形などの正多角形の形状を有する筒状に形成されたものであってもよい。
【００７４】
収納ケース１ａの具体的な適用例として、押入れ、クローゼット等に据え置くような衣類等を収納する例の場合、１段の高さとしては、例えば１００ｍｍ〜３００ｍｍ程度が実用的である。また、それらのスペースでの高さ制限などを考慮して、実用的な積載段数は２段〜９段程度である。本実施形態の収納ケース１ａにおいては、これらの複数段を積載可能であり、多段収納ケースとして用いることができる。
【００７５】
また、収納ケース１ａに用いられる部材として、例えばプラッスチックの場合、部材の板圧が５ｍｍ〜１０ｍｍ程度である。この他の部材として、木材、紙、金属などであってもよく、また、それらの部材を組み合わせて用いてもよい。
【００７６】
第１の実施形態の収納ケースによれば、収納物を出し入れしやすいように収納スペースを回転自在に移動させることができる。
【００７７】
（１）これにより、１段の収納ケースごとに収納スペースを循環して回転自在に移動できるため、引き出し手前に収納された収納物を容易に移動させることができる。また、空いている収納スペースを容易に引き出し手前に移動させることができる。これにより、利用者の収納作業における利便性が向上する。
【００７８】
（２）また、上下方向に複数段を積載可能な収納ケースであるため、設置場所の高さ方向の設置スペースに応じて、積載段数を選択することができる。これにより、押入れ、クローゼット、台所収納庫等の高さ方向に制限のある設置スペースを有効に、かつ、利便性を損なわずに活用することができる。
【００７９】
［第２の実施形態］
図１６は、本考案に係る収納ケース１ｂの第２の実施形態の構成を示す斜視図である。また、図１７（Ａ）は図１６に示す取手６の平面図、図１７（Ｂ）は同じく正面図であり、図１７（Ｃ）は同じく側面図である。
【００８０】
図１６に示す第２の実施形態の収納ケース１ｂの１段単位の構成は、前述した第１の実施形態の収納ケース１ａの構成と概ね同様であり、類似する部材には同一の符号または類似の符号を付すものとする。以下、重複する説明は省略し、異なる点を主に説明する。
【００８１】
第２の実施形態の収納ケース１ｂは、図１（Ａ）及び図１（Ｂ）に示す１ユニット単位と概ね同様な構成の収納ケース１ａを複数段積載した収納棚（多段収納ケース）である。なお、図１６に示す段数は２段の例である。
【００８２】
収納ケース１ｂは、図１６に示すように、複数の収納ケース１ａを多段積載した構成である。ここで、図１６に示す収納ケース１ａは、図１（Ｂ）に示す収納ケース１ａの構成に加えて、取手６をさらに備える構成である。また、図１６に示す最下段の収納ケース１ａは、キャスター７をさらに備えている。
【００８３】
図１６に示すジョイントＷは、上下段の収納ケース１ａの支柱１４において、前述した凸係止部１４１（図６に示す）及び凹係止部１４２（図７に示す）の嵌合によって多段積層された下段の収納ケース１ａ及び上段の収納ケース１ａによる係止構造の一部の箇所を示す。
【００８４】
凸係止部１４１は、上段に位置する収納ケース１ａの凹係止部１４２に嵌合している。凹係止部１４２は、下段に位置する収納ケース１ａの凸係止部１４１に嵌合している。以上のような多段積載のための係止構造（なお、係止手段はこれらの係止構造を有する）により、複数の収納ケース１ａを強固に連結することができるため、任意に増設可能な多段収納ケース（収納ケース１ｂ）として用いることができる。また、凹係止部１４２は、凸係止部１４１に嵌合可能なだけでなく、キャスター７などの付属部品のネジ穴や取り付け穴として兼用または一部を共用する構造としてもよい。
【００８５】
キャスター７は、収納ケース１ｂを据え置き位置から容易に移動させるための移動補助手段である。特に、収納ケース１ｂに収納物が多量に収納されている場合において、周辺付近の掃除、衣類の整理等の機会に収納ケース１ｂを据え置き位置から移動させる際に、誰もが容易に収納ケース１ｂを移動させることができる。
【００８６】
取手６は、利用者が中ケース２ａを容易にＲ方向へ回転させるための把持手段であり、また、Ｕ方向へ引き出すための把持手段でもある。取手６は、図１７（Ａ）乃至（Ｃ）に示すように、取付部６１及び把持部６２から構成される。
【００８７】
取付部６１は、取手６を中ケース側壁３２に固定する部分である。取付部６１は、中ケース側壁３２に、例えば接着剤などで取り付け可能である。
【００８８】
把持部６２は、利用者が直接把持する部分である。把持部６２は、取手６の取付面に対して垂直方向から水平方向近くの９０度以内の範囲で折り畳み可能となるように、取付部６１に取り付けられている。また、取手６は、中ケース側壁３２の外壁側に取り付けられるが、外ケース側壁１３ａの内壁に接触しないような大きさで形成されている。
【００８９】
なお、例えばプラスチックなどの樹脂製の材料を用いて中ケース側壁３２を成型する場合に、取付部６１を含めて一体に成型してもよく、また、把持部６２を含めて一体に成型してもよい。その他にも、類似な加工手段（留穴加工など）であってもよい。また、把持部６２は、例えば金属製やプラスチック製などのリングや、紐等の把持可能なものでもよい。
【００９０】
この他にも、複数段、例えば２段の収納ケース１ｂの２つの外ケース１０ａを一体型の外ケースとして製作してもよく、この場合には、１段の収納ケース１ａや２段の収納ケース１ｂを、さらに多段とする際に増設用として用いることもできる。すなわち、外ケースが一体型のベース段数の収納ケース１ｂに、増設用の収納ケース１ａを多段積載可能となる構成である。
【００９１】
例えば、衣類等を収納する用途の場合では、実用的な積載段数を考慮すると、２段〜９段程度の段数とする収納ケース１ｂを押入れやクローゼット等に設置可能である。
【００９２】
第２の実施形態の収納ケースによれば、収納物を出し入れしやすいように収納スペースを回転自在に移動させることができる。また、また、複数の収納ケースを多段に積載可能であるため、収納スペースが不足した場合にも、利便性を損なうことなく、容易に収納ケースを追加することができる。
【００９３】
［第３の実施形態］
図１８は、本考案に係る収納ケース１ｃの第３の実施形態の構成を示す斜視図であり、特に、図１８（Ａ）は中ケース２ｃを収容した状態の斜視図、図１８（Ｂ）は中ケース２ｃを引き出した状態の斜視図である。また、図１９（Ａ）は図１８に示す収納ケース１ｃの平面図、図１９（Ｂ）は同じく正面図である。さらに、図２０（Ａ）は図１９（Ａ）のＶＩ−ＶＩ線矢視縦断面図、図２０（Ｂ）は図１９（Ａ）のＶＩＩ−ＶＩＩ線矢視縦断面図である。なお、図１９（Ｂ）に示す収納ケース１ｃの正面図は、図１９（Ａ）に示すＦ方向からの視線に基づくものである。
【００９４】
第３の実施形態の収納ケース１ｃは、１ユニット（１段）ごとに、引き出し自在に衣類等を収納することができる、上下段に複数段を積載可能な収納棚である。収納ケース１ｃは、１ユニット単位の構成であり、図１８（Ａ）乃至図２０（Ｂ）に示すように、中ケース２ｃと、外ケース１０ｃとを備えている。
【００９５】
収納ケース１ｃは、図１８（Ａ）及び（Ｂ）に示すように、外ケース１０ｃから中ケース２ｃを引き出し自在に収容する構造である。収納ケース１ｃは、中ケース２ｃを外ケース１０ｃから前方（Ｕ方向の引き出し側）に引き出し可能とし、中ケース２ｃを前方から外ケース１０ｃの後方（Ｕ方向の押し入れ側）に収容可能とする。また、中ケース２ｃでは、回転軸３１を回転中心として、中ケース２ｃに収納した被収納物（衣類等）を回転自在（回転方向Ｒ）に移動させることができる。さらに、中ケース２ｃは、利用者の必要に応じて仕切板４を着脱可能な構造とされる。
【００９６】
以下、図１８（Ａ）乃至図２０（Ｂ）に示した収納ケース１ｃを、外ケース１０ｃと、中ケース１０ｃ（中ケース回転部３０、中ケース底部２０ｃ）とに分離して示した図２１乃至図２５も参照しながら、各々の構成について説明する。
【００９７】
図２１（Ａ）は図１８に示す外ケース１０ｃの斜視図、図２１（Ｂ）は同じく側面図である。また、図２２（Ａ）は図１８に示す外ケース１０ｃの正面図、図２２（Ｂ）は図２２（Ａ）のＶＩＩＩ−ＶＩＩＩ線矢視横断面図である。図２３は、図１８に示す外ケース１０ｃの底面図である。
【００９８】
外ケース１０ｃは、図２１乃至図２３に示すように、天板１１ｃと、外ケース底板１２ｃと、外ケース側壁１３ｃとを有する。
【００９９】
天板１１ｃは、外ケース１０ｃに中ケース２ｃを収容した状態で、中ケース２ｃの上面を覆うことができる形状からなる板状に形成される。さらに、天板１１ｃの上面の前方付近には、棒状の凸係止部１１１ｃが設けられ、天板１１ｃの上面の中央付近から後方付近にかけては、コの字（またはＵ字）状の凸係止部１１２ｃが設けられている。
【０１００】
外ケース底板１２ｃは、天板１１ｃの外形と同サイズまたはやや小さいサイズの板状に形成され、外ケース１０ｃの底面に設けられる。また、外ケース底板１２ｃの上面には、図２２（Ａ）に示すように、中ケース２ｃが引き出し自在となるようにガイドレール１６及び１７が設けられる。また、外ケース底板１２ｃの底面には、図２１（Ｂ）及び図２３などに示すように、下段に位置する収納ケース１ｃの凸係止部１１１ｃと係止可能なように凸係止部１２２ｃが設けられる。
【０１０１】
外ケース側壁１３ｃは、天板１１ｃ及び外ケース底板１２ｃの間に中ケース２ｃを引き出し可能なように背面を囲みかつ側面の一部を囲むように設けられる。また、外ケース側壁１３ｃは、天板１１ｃ及び外ケース底板１２ｃの間を強固に支持するように形成される。すなわち、外ケース側壁１３ｃは、収納ケース１ｃにおける支柱機能を有する。
【０１０２】
また、外ケース側壁１３ｃには、外ケース底板１２ｃの上面に設けられたガイドレール１６に対応する位置に、中ケース底板２２ｃの板厚のサイズよりも間隔をおいてガイドレール１５が設けられる。
【０１０３】
ガイドレール１５及び１６は、図２２（Ａ）及び（Ｂ）に示すように、外ケース１０ｃの開口部から後方へ外ケース側壁１３ｃの側面に沿うように棒状に設けられている。図２０（Ｂ）に示すように、ガイドレール１５及び１６により、中ケース底板２２ｃの両端側を支持する。
【０１０４】
ガイドレール１７は、外ケース底板１２ｃの上面に外ケース側壁１３ｃが設けられていない開口側中央付近の位置から中ケース２ａの引き出し方向（Ｕ方向）を長手方向（図２２（Ｂ）の中央線Ｃに沿う方向）として棒状に設けられる。図２０（Ａ）及び（Ｂ）に示すように、ガイドレール１７により、中ケース底板２２ｃの中央（図２５（Ａ）の中央線Ｃ）付近を下方から支持可能となる。
【０１０５】
以上のようなガイドレール１５及び１６、１７の構造によるガイド手段により、利用者が中ケース２ｃを摺動自在に外ケース１０ｃから容易に引き出すことができ、また、中ケース２ｃを引き出した際に外ケース１０ｃから不意な方向に外れないようにすることができる。さらに、引き出した中ケース１０ｃを、外ケース１０ｃに収容し難い状態にずれることを防止することができる。すなわち、利用者は、上述したようなガイド手段により外ケース１０ｃに収容されている中ケース２ｃを摺動可能にスライド動作させることができる。
【０１０６】
次に、上段及び下段に位置する収納ケース１ｃの多段積載の係止構造について説明する。
【０１０７】
中ケース２ｃを外ケース１０ｃから引き出すスライド動作に対しては、図１８（Ａ）及び図２０（Ａ）などに示すように、上段に位置する収納ケース１ｃの背面の外ケース側壁１３ｃ下端側と、下段に位置する収納ケース１ｃの天板１１ｃの凸係止部１１２ｃとにより係止作用を生じる。
【０１０８】
中ケース２ｃを外ケース１０ｃへ押し入れるスライド動作に対しては、図２１（Ａ）及び（Ｂ）、図２３などに示すように、上段に位置する収納ケース１ｃの外ケース底板１２ｃの係止部１２２ｃと、下段に位置する収納ケース１ｃの天板１１ｃの凸係止部１１１ｃとにより係止作用を生じる。
【０１０９】
また、外ケース１０ｃの側面方向に作用する力に対しては、図１８（Ａ）及び図２０（Ａ）などに示すように、上段に位置する収納ケース１ｃの側面の外ケース側壁１３ｃ下端側と、下段に位置する収納ケース１ｃの天板１１ｃの凸係止部１１２ｃとにより係止作用を生じる。
【０１１０】
以上説明したように、収納ケース１ｃを上下に多段積載可能なようにし、かつ、安定した積載を保持するような係止構造（係止手段）が設けられている。
【０１１１】
中ケース２ｃは、図１８（Ａ）及び（Ｂ）に示すように、上方が開口された中空の筒状に形成されて被収納物を収納する収納スペースを形成する中ケース回転部３０と、中ケース回転部３０の下方に配設されて中ケース回転部３０を回転可能に支持する中ケース底部２０ｃとを有する。
【０１１２】
さらに、中ケース回転部３０は、図１８（Ａ）乃至図２０（Ｂ）に示すように、板状に形成された中ケース回転底板３４と、中ケース回転底板３４を筒の底として筒状に側壁が形成された中ケース側壁３２と、中ケース回転底板３４の上面に対して垂直方向かつその面の中心位置に設けられた回転軸３１とから構成される。なお、中ケース回転部３０の詳細な構造については、第１の実施形態で説明した構成と同様であるため、ここではその説明を省くものとする。
【０１１３】
以下、中ケース底部２０ｃの詳細な構造について、図２４及び図２５も参照しながら説明する。ここで、図２４は、図２０に示す中ケース底部２０ｃの斜視図である。また、図２５（Ａ）は図２４に示す中ケース底部２０ｃの平面図、図２５（Ｂ）は図２５（Ａ）のＩＸ−ＩＸ線矢視縦断面図である。
【０１１４】
中ケース底部２０ｃは、図２４及び図２５に示すように、軸受２１、中ケース底板２２ｃ及び引出取手２５から構成される。
【０１１５】
中ケース底板２２ｃは、中ケース回転底板３４より広い面を有する板状に形成される。中ケース底板２２ｃにおいて、中ケース回転底板３４が回転する位置に対向する面の外径は、少なくとも中ケース回転底板３４の外径より大きく形成される。中ケース底板２２ｃは、図２４及び図２５（Ａ）に示すように、例えば前方側に半円板状かつ後方側に四角形板状である合わせ形状に形成される。中ケース２ｃが外ケース１ｃに収容される状態において、中ケース底板２２ｃの後方側の四角形板状は、ガイドレール１５及び１６により、その四角形板状の両端側が支持される。
【０１１６】
軸受２１は、中ケース回転部３０と対向する面の回転中心位置（図２５（Ａ）に示す中ケース底板２２ｃの上面における一点鎖線の円周Ｍ及びＮの中心位置）に、かつ、中ケース底板２２ｃの面の垂直方向（軸線Ｊの方向）に回転軸中空部１３２の軸方向の溝の深さよりも短い長さで形成される。
【０１１７】
ボール受穴２３は、図２５（Ａ）に示すように、中ケース底板２２ｃの上面側に、軸受２１の軸を中心とした円周（一点鎖線の円周Ｍ及びＮ）上に複数設けられる。ボール受穴２３は、中ケース底板２２ｃの前述した位置に半球状（おわん状）の溝に形成される。例えば、ボール受穴２３の縦断面は、図２５（Ｂ）に示すように、半球状（おわん状）の断面である。また、ボール受穴２３の溝の深さは、前述したボール５ａの半径よりも小さく形成される。
【０１１８】
以上のような緩衝緩和部品（ボール５ａ）やこれを配設する構造による緩衝緩和手段により、利用者は、軸受２１により回転可能に支持された中ケース回転部３０を、複数のボール５ａを介してその回転（図１８（Ｂ）のＲ方向回転）を円滑に動作させることができる。
【０１１９】
引出取手２５は、中ケース底板２２ｃの前方側に、把持可能な形状で取り付けられている。引出取手２５は、例えばＬ字型の板で形成され、利用者が手に止め易いように中ケース底板２２ｃの垂直方向及び水平方向に沿うようなＬ字状の板に穴が設けられる。利用者は、この引出取手２５を把持することにより、中ケース２ｃの引き出し及び収容をさらに容易に行うことができる。
【０１２０】
第３の実施形態の収納ケースによれば、収納物を出し入れしやすいように収納スペースを回転自在に移動させることができる。これにより、収納ケース内の収納スペースの移動を容易に行うことができるため、利便性が向上する。
【０１２１】
［第４の実施形態］
図２６は、本考案に係る収納ケース１ｄの第４の実施形態の構成を示す斜視図である。図２６に示す第４の実施形態の収納ケース１ｄの１段単位の構成は、前述した第３の実施形態の収納ケース１ｃの構成と概ね同様であり、類似する部材には同一の符号または類似な符号を付すものとする。以下、重複する説明は省略し、異なる点を主に説明する。
【０１２２】
第４の実施形態の収納ケース１ｄは、図１８（Ａ）及び（Ｂ）に示す１ユニット単位と概ね同様な構成の収納ケース１ｃを複数段積載した収納棚（多段収納ケース）である。なお、図２６に示す段数は２段の例である。
【０１２３】
収納ケース１ｄは、図２６に示すように、複数の収納ケース１ｃを多段積載した構成である。また、図２６に示す収納ケース１ｃは、図１８（Ａ）及び（Ｂ）に示す収納ケース１ｃの構成に加えて、取手６をさらに備える構成である。
【０１２４】
図２６に示すジョイントＷは、前述したような係止構造が作用する一部の箇所を示す。例えば、上段の収納ケース１ｃの側壁１３ｃの下端側と下段の収納ケース１ｃの１１２ｃとが互いに係止する係止構造が作用する一部の箇所である。また、図示しないが、この他にも、上段の収納ケース１ｃの１２２ｃと下段の収納ケース１ｃの係止部１１１ｃとが互いに係止する係止構造の箇所などがある。
【０１２５】
なお、図２６に示す収納ケース１ｄ以外にも、収納ケース１ｄとして、複数段、例えば２段の収納ケース１ｃの２つの外ケース１０ｃを一体型の外ケースとして製作してもよい。この場合には、１段の収納ケース１ｃや２段の収納ケース１ｄを、さらに多段とする際に増設用として用いることもできる。すなわち、外ケースが一体型の複数段の収納ケース１ｄをベースとして、増設用に収納ケース１ｃなどを多段積載可能する構成である。
【０１２６】
複数段の中ケース２ｃを収容可能な収納ケース１ｄにおける、一体型の外ケースの例として、次のような構造をとることができる。例えば、図１８（Ａ）及び（Ｂ）に示す１段の収納ケース１ｃが有する天板１ｃと外ケース底板１２ｃとを中段（最上段と最下段以外）に位置する当該箇所は共有構造（中板と称す）とする。また、複数段の収納ケース１ｃが有する外ケース側壁１３ｃを一体構造とする。
【０１２７】
第４の実施形態の収納ケースによれば、収納物を出し入れしやすいように収納スペースを回転自在に移動させることができる。また、複数の収納ケースを多段に積載可能であるため、収納スペースが不足した場合にも、利便性を損なうことなく、容易に収納ケースを追加することができる。
【０１２８】
以上、複数の実施形態の収納ケースに関する構成などについて説明したが、これらの材料については樹脂、木、紙、金属（スチール、アルミなど）等、又は、それらの組み合わせを用いて、各実施形態の収納ケースを製作可能である。
【０１２９】
［他の実施形態］
以上、本考案の実施形態を説明したが、これらの実施形態は、例として提示したものであり、考案の範囲を限定することは意図していない。例えば、収納ケースのサイズにより、衣類だけでなく、文具類、雑貨類、靴類、装飾品類、食品・調味料容器等を収納する用途であってもよい。また、例えば各実施形態の特徴を組み合わせてもよい。さらに、これらの実施形態は、その他の様々な形態で実施されることが可能であり、考案の要旨を逸脱しない範囲で、種々の省略、置き換え、変更を行うことができる。これら実施形態やその変形には、考案の範囲や要旨に含まれると同様に、実用新案登録請求の範囲に記載された発明とその均等の範囲に含まれるものである。
【符号の説明】
【０１３０】
１ａ、１ｂ、１ｃ、１ｄ…収納ケース、２ａ、２ｃ…中ケース、４…仕切板、５ａ…ボール、５ｂ…ローラ、６…取手、７…キャスター、１０ａ、１０ｃ…外ケース、１１ａ、１１ｃ…天板、１２ａ、１２ｃ…外ケース底板、１３ａ、１３ｃ…外ケース側壁、１４…支柱、１５…ガイドレール、１６…ガイドレール、１７…ガイドレール、２０ａ、２０ｃ…中ケース底部、２１…軸受、２２ａ、２２ｃ…中ケース底板、２３…ボール受穴、２４…ガイドレール溝部、２５…引出取手、３０…中ケース回転部、３１…回転軸、３２…中ケース側壁、３３…仕切係止部、３４…中ケース回転底板、３５…ボール溝部、６１…取付部、６２…把持部、１１１ａ、１１１ｃ、１１２ｃ、１４１…凸係止部、１２１…ガイドレール、１２２ａ、１４２…凹係止部、１２２ｃ…係止部、１３１…嵌込み溝、１３２…回転軸中空部
【図１】
0003188768.tif 000003
【図２】
0003188768.tif 000004
【図３】
0003188768.tif 000005
【図４】
0003188768.tif 000006
【図５】
0003188768.tif 000007
【図６】
0003188768.tif 000008
【図７】
0003188768.tif 000009
【図８】
0003188768.tif 000010
【図９】
0003188768.tif 000011
【図１０】
0003188768.tif 000012
【図１１】
0003188768.tif 000013
【図１２】
0003188768.tif 000014
【図１３】
0003188768.tif 000015
【図１４】
0003188768.tif 000016
【図１５】
0003188768.tif 000017
【図１６】
0003188768.tif 000018
【図１７】
0003188768.tif 000019
【図１８】
0003188768.tif 000020
【図１９】
0003188768.tif 000021
【図２０】
0003188768.tif 000022
【図２１】
0003188768.tif 000023
【図２２】
0003188768.tif 000024
【図２３】
0003188768.tif 000025
【図２４】
0003188768.tif 000026
【図２５】
0003188768.tif 000027
【図２６】
0003188768.tif 000028